(57)【特許請求の範囲】
【請求項１】
ＲＤＳ（Radio Data System）方式の信号フォーマットにより伝送される放送信号を受信するチューナと、
前記チューナが受信した放送信号からＡＦ（Alternative Frequencies）局データを復号し記憶する記憶手段と、
前記ＡＦ局データを用いた周波数追従で放送信号を正常に復号できる信号レベルが得られた放送周波数に含まれる多重データを参照して、前記記憶手段に記憶されているＡＦ局データに所定の識別情報を付す識別情報付与手段と、
を有し、
前記識別情報に基づいて追従する放送周波数の順序を決定し、周波数追従を実行し、
前記識別情報付与手段は、前記信号レベルが得られた放送周波数に含まれる追従対象側のＰＩ（Programme Identification）コードと、前記記憶手段に記憶されている最も古いＡＦ局データに含まれる該記憶手段側のＰＩコードとを比較し、該比較結果に応じて前記識別情報を該最も古いＡＦ局データに付す、
放送受信機。
【請求項２】
前記記憶手段は、
前記ＡＦ局データを記憶する第一の記憶領域と、
前記第一の記憶領域と異なる第二の記憶領域と、
を有し、
前記識別情報付与手段は、前記第一の記憶領域の記憶容量を超えるＡＦ局データが記憶される場合に前記比較処理を実行し、前記識別情報を付したＡＦ局データを該第一の記憶領域から前記第二の記憶領域に移動する、
請求項１に記載の放送受信機。
【請求項３】
前記識別情報を付したＡＦ局データを前記第二の記憶領域に移動後、周波数追従の実行前に受信していたＡＦ局データを前記第一の記憶領域に記憶する、
請求項２に記載の放送受信機。
【請求項４】
移動体に搭載された、
請求項１から請求項３の何れか一項に記載の放送受信機。
【発明の詳細な説明】
【技術分野】
【０００１】
本発明は、放送受信機に関連し、詳しくは、ＲＤＳ方式による多重放送に適合して設計され、当該方式の信号フォーマットによる放送信号を受信して処理するように構成された放送受信機に関する。
【背景技術】
【０００２】
放送番組に関連する関連データ等をオーディオ放送信号に多重して伝送するラジオ放送が規格化され、実用化されている。その一つに、例えばヨーロッパ放送連合で規格化されたＲＤＳ（Radio Data System）が知られている。ＲＤＳ方式では、アナログＦＭ放送信号にデジタルデータが多重されている。ＲＤＳ方式の多重データ（以下、「ＲＤＳデータ」と記す。）には、ＰＩ（Programme Identification）コード、ＡＦ（Alternative Frequencies）リスト等が含まれている。ＰＩコードは、国名コードや番組コード等を含む番組識別コードである。ＡＦリストは、同一の又は関連する番組を放送する放送局の周波数リストである。ＲＤＳ方式に適合して設計された放送受信機は、例えば車で移動中に選択局のサービスエリアを外れると、ＡＦリストを参照して同一番組等を放送する別の放送局（以下、「ＡＦ局」と記す。）への受信切替を自動的に行う。この種の放送受信機の具体的構成例は特許文献１に記載されている。
【０００３】
ところで、受信状態が悪化している状況下においては、選択局で放送されている全てのＲＤＳデータをロス無く受信することが難しい。例えば受信エラーが発生した場合は、ＡＦリストの一部又は全部を復号できない虞がある。受信状態が良好であっても、カバーエリアの関係上、物理的に受信可能な全てのＡＦ局がＡＦリストに含まれているとは限らない。
【０００４】
そこで、放送受信機は、過去に受信したＡＦ（以下、説明の便宜上「実績ＡＦ」と記す。）リストをメモリに蓄積する。放送受信機は、選択局の受信状態が悪化すると、メモリ内の実績ＡＦリストを優先的にチェックして実績ＡＦ局を追従し、受信の可否を試行する。実績ＡＦ局の受信状態が良好でない場合は、追従を行う前に受信していた番組のＡＦ（以下、説明の便宜上「受信ＡＦ」と記す。）リストを参照して受信ＡＦ局を追従し、受信の可否を試行する。
【０００５】
実績ＡＦリストには、受信エラー等により聴取している番組から取得できないＡＦ局データが含まれていることがある。実績ＡＦリストは、受信ＡＦリストのＡＦ局抜けを補う点で有益な情報である。しかし、実績ＡＦ局データの記憶を無制限に認めると、受信できない実績ＡＦ局データをメモリ内に数多く抱えることになる。そのため、実績ＡＦ局のチェック時間が長くなり、受信切替が速やかに行われない不具合が生じる。そこで、記憶可能な実績ＡＦ局データ数には上限が設定されている。制限数を超える実績ＡＦ局データを記憶する場合は、古い実績ＡＦ局データが順に破棄される。制限数を超えない場合であっても、受信を試行して失敗した実績ＡＦ局データは破棄される。
【先行技術文献】
【特許文献】
【０００６】
【特許文献１】特開平９−１０７３２０号公報
【発明の概要】
【発明が解決しようとする課題】
【０００７】
本件特許出願時の当該分野においては、記憶可能な実績ＡＦ局データ数を上記の通りに効果的に制限するのが技術常識である。しかし、本発明者は、これまで破棄の対象とされている実績ＡＦ局データの中にも受信可能なＡＦ局のデータが含まれている可能性を考慮して、当該実績ＡＦ局データを有効活用すべきことに着眼した。
【０００８】
本発明は上記の事情に鑑みてなされたものであり、その目的とするところは、破棄の対象とされていた実績ＡＦ局データを利用して受信切替を行うのに好適な放送受信機を提供することである。
【課題を解決するための手段】
【０００９】
上記の課題を解決する本発明の一形態に係る放送受信機は、ＲＤＳ方式の信号フォーマットにより伝送される放送信号を受信するチューナと、チューナが受信した放送信号からＡＦ局データを復号し記憶する記憶手段と、ＡＦ局データを用いた周波数追従で放送信号を正常に復号できる信号レベルが得られた放送周波数に含まれる多重データを参照して、記憶手段に記憶されているＡＦ局データに所定の識別情報を付す識別情報付与手段とを有し、識別情報に基づいて追従する放送周波数の順序を決定し、周波数追従を実行することを特徴としている。
【００１０】
このように、記憶手段内のＡＦ局データを破棄せずに識別情報を付して保持しておくと、従来破棄されていたＡＦ局にまで追従対象を拡張できると共に、識別情報に基づいた効率的な周波数追従を行うことが可能になる。受信可能なＡＦ局の追従漏れが軽減されるため、ユーザは高品位な放送サービスをより一層持続的に聴取できるようになる。
【００１１】
識別情報付与手段は、周波数追従で放送信号を正常に復号できる信号レベルが得られた放送周波数に含まれる追従対象側のＰＩコードと、記憶手段に記憶されている最も古いＡＦ局データに含まれる該記憶手段側のＰＩコードとを比較し、該比較結果に応じて識別情報を該最も古いＡＦ局データに付す構成としてもよい。
【００１２】
記憶手段は、例えばＡＦ局データを記憶する第一の記憶領域と、第一の記憶領域と異なる第二の記憶領域とを有した構成としてもよい。この場合、識別情報付与手段は、第一の記憶領域の記憶容量を超えるＡＦ局データが記憶される場合に比較処理を実行し、該識別情報を付したＡＦ局データを該第一の記憶領域から第二の記憶領域に移動する。
【００１３】
本発明に係る放送受信機は、識別情報を付したＡＦ局データを第二の記憶領域に移動後、周波数追従の実行前に受信していたＡＦ局データを第一の記憶領域に記憶する構成としてもよい。
【００１４】
識別情報付与手段は、周波数追従で放送信号を正常に復号できる信号レベルが得られた放送周波数に含まれる追従対象側のＰＩコードと、周波数追従を試行して失敗した記憶手段に記憶されているＡＦ局データに含まれる該記憶手段側のＰＩコードとを比較し、該比較結果に応じて識別情報を該追従失敗したＡＦ局データに付す構成としてもよい。
【００１５】
本発明に係る放送受信機は、一般乗用車等の移動体に搭載された機器であってもよい。
【発明の効果】
【００１６】
本発明によれば、破棄の対象とされていた実績ＡＦ局データを利用して受信切替を行うのに好適な放送受信機が提供される。
【図面の簡単な説明】
【００１７】
【図１】本発明の実施形態の放送受信機の構成を示すブロック図である。
【図２】本発明の実施形態において実行される処理のフローチャートを示す図である。
【図３】本発明の実施形態において実行される処理のフローチャートを示す図である。
【図４】本発明の実施形態において実行される処理のフローチャートを示す図である。
【発明を実施するための形態】
【００１８】
以下、図面を参照して、本発明の実施形態の放送受信機について説明する。本実施形態の放送受信機は、ＲＤＳ方式による多重放送の受信に適したラジオである。
【００１９】
図１は、本実施形態の放送受信機１の構成を示すブロック図である。放送受信機１は、車載型の放送受信機であり、一般乗用車等に装備される。放送受信機１は、ＲＤＳ方式による多重放送に適合して設計され、当該方式の信号フォーマットによる放送信号を受信して処理するように構成されている。
【００２０】
図１に示されるように、放送受信機１は、アンテナ１０１、チューナ１０２、アナログ信号処理回路１０３、オーディオ信号処理回路１０４、パワーアンプ１０５、スピーカ１０６、ＲＤＳ復調器１０７、ＰＬＬ（Phase Locked Loop）回路１０８、マイクロコンピュータ１０９、入力インタフェース１１０、ディスプレイ１１１を有している。
【００２１】
放送受信機１は、放送電波をアンテナ１０１で受信してチューナ１０２に出力する。チューナ１０２は、マイクロコンピュータ１０９によるＰＬＬ回路１０８を介した制御により、受信電波から選択局のＲＦ（Radio Frequency）信号を抽出する。抽出されたＲＦ信号は、フィルタリング等の信号処理に適した中間周波数に周波数変換される。チューナ１０２は、周波数変換によって得たＩＦ（Intermediate Frequency）信号をアナログ信号処理回路１０３に出力する。
【００２２】
選択局は、例えば入力インタフェース１１０に対するユーザ操作により指定される。選択局の指定情報は、マイクロコンピュータ１０９の内蔵ＲＡＭ（Random Access Memory）に記憶される。マイクロコンピュータ１０９は、例えば放送受信機１の電源投入直後、内蔵ＲＡＭの記憶情報に従ってＰＬＬ回路１０８を介したチューナ１０２の選局動作を制御する。
【００２３】
アナログ信号処理回路１０３は、ＩＦ検波（IF-Detection）回路、ノイズキャンセラ（Noise Canceller）、弱電界処理（Multiplex）回路を有している。アナログ信号処理回路１０３に入力したＩＦ信号は、ＩＦ検波回路でオーディオ信号に検波後、ノイズキャンセラによってノイズが除去される。オーディオ信号は、弱電界処理回路により、ミュート、ハイカット、セパレーション制御等の選択局の受信状態に応じた処理が施されてオーディオ信号処理回路１０４に出力される。
【００２４】
オーディオ信号処理回路１０４に入力したオーディオ信号は、所定のオーディオ信号処理後、パワーアンプ１０５によるボリュームに応じた利得調節を経てスピーカ１０６から音声として出力再生される。
【００２５】
アナログ信号処理回路１０３には、例えばＳメータが内蔵されている。Ｓメータは、アナログオーディオ信号復調時の検波電圧の値を所定のサンプリング周期で測定してマイクロコンピュータ１０９に出力する。上記検波電圧値は、受信電波に比例した直流電圧であり、受信電波のＣＮ比と相関がある。マイクロコンピュータ１０９は、上記検波電圧値を監視して受信電波のＣＮ比を推定する。
【００２６】
アナログ信号処理回路１０３で検波された信号はＲＤＳ復調器１０７にも出力される。検波信号は、ＲＤＳ復調器１０７による復調処理後、マイクロコンピュータ１０９のＲＤＳ復号器でＲＤＳデータに復号されて内蔵ＲＡＭに記憶される。
【００２７】
ＲＤＳデータには、ＰＳ（Programme Service）、ＲＴ（Radio Text）、ＡＦリスト、ＰＩコード等が含まれている。マイクロコンピュータ１０９は、例えばＰＳ、ＲＴをディスプレイ１１１の表示画面に表示し、ＡＦリストやＰＩコードの情報に従ってＰＬＬ回路１０８を介してチューナ１０２の選局動作を制御する。
【００２８】
内蔵ＲＡＭには、実績ＡＦ局データが記憶されている。実績ＡＦ局データには、ＰＩコードや放送周波数等の放送局の情報が含まれている。内蔵ＲＡＭに記憶可能な実績ＡＦ局データ数には上限が設定されている。図２は、制限数を超える実績ＡＦ局データを記憶する際に実行される処理のフローチャートを示す。説明の便宜上、本明細書中の説明並びに図面において、処理ステップは「Ｓ」と省略して記す。
【００２９】
例えば選択局の受信状態の悪化に伴い周波数追従が行われる場合、選択局の受信切替完了前に図２のフローチャートの処理が実行される。周波数追従では、ＡＦ局が所定の順序でテストされ、充分な信号レベル（放送信号を正常に復号できる信号レベル）が得られるか否かがチェックされる。周波数追従の具体的説明は後述する。
【００３０】
図２に示されるように、Ｓ１の処理では、内蔵ＲＡＭに記憶されている実績ＡＦ局データ数が制限数に達しているか否かが判定される。実績ＡＦ局データ数が制限数に達していない場合（Ｓ１：ＮＯ）、周波数追従を行う前に受信していた番組のＰＩコードや放送周波数等の情報が最も新しい実績ＡＦ局データとして内蔵ＲＡＭに記憶される（Ｓ７）。実績ＡＦ局データの記憶後、本フローチャートの処理は終了する。
【００３１】
内蔵ＲＡＭ内の実績ＡＦ局データ数が制限数に達している場合（Ｓ１：ＹＥＳ）、内蔵ＲＡＭ内の最も古い実績ＡＦ局データ（以下、「最古実績ＡＦ局データ」と記す。）のＰＩコードと、周波数追従で充分な信号レベルが得られた放送周波数に重畳されているＰＩコード（すなわち、受信を希望するＰＩコードであり、以下、「追従対象ＰＩコード」と記す。）が全桁一致しているか否かが判定される（Ｓ２）。
【００３２】
最古実績ＡＦ局データのＰＩコードと追従対象ＰＩコードが全桁一致していると判定された場合（Ｓ２：ＹＥＳ）、最古実績ＡＦ局データが内蔵ＲＡＭ内の受信ＡＦ記憶領域に移動する（Ｓ６）。そのため、実績ＡＦ局データ用の記憶領域に一データ分の空きができる。受信ＡＦ記憶領域は、実績ＡＦ局データを記憶する領域とは別個に割り当てられた、受信ＡＦ局データを記憶するための領域である。説明の便宜上、受信ＡＦ記憶領域に移動した最古実績ＡＦ局データを「最古受信ＡＦ局データ」と記す。Ｓ７の処理では、周波数追従を行う前に受信していた番組のＰＩコードや放送周波数等の情報が最も新しい実績ＡＦ局データとして内蔵ＲＡＭに記憶され、本フローチャートの処理は終了する。
【００３３】
最古実績ＡＦ局データのＰＩコードと追従対象ＰＩコードが一致していないと判定された場合（Ｓ２：ＮＯ）、両ＰＩコードのＡｒｅａコードのみが相違するか否かが判定される（Ｓ３）。ここで、ＰＩコードは、２バイト構成であり、上位１バイト中の下位４ビットがＡｒｅａコードと定義される。
【００３４】
最古実績ＡＦ局データのＰＩコードと追従対象ＰＩコードのＡｒｅａコード以外が一致する（言い換えると、Ａｒｅａコードのみ不一致の）場合（Ｓ３：ＹＥＳ）、最古実績ＡＦ局データの反転フラグがオンになる（Ｓ４）。反転フラグは、内蔵ＲＡＭ内の実績ＡＦ局データとＡｒｅａコードのみが相違することを示すフラグである。Ｓ６の処理では、反転フラグがオンされた最古実績ＡＦ局データが受信ＡＦ記憶領域に移動する。そのため、実績ＡＦ局データ用の記憶領域に一データ分の空きができる。Ｓ７の処理では、周波数追従を行う前に受信していた番組のＰＩコードや放送周波数等の情報が最も新しい実績ＡＦ局データとして内蔵ＲＡＭに記憶され、本フローチャートの処理は終了する。
【００３５】
最古実績ＡＦ局データのＰＩコードと追従対象ＰＩコードがＡｒｅａコードのみ相違する場合以外は（Ｓ３：ＮＯ）、最古実績ＡＦ局データは破棄される（Ｓ５）。そのため、実績ＡＦ局データ用の記憶領域に一データ分の空きができる。Ｓ７の処理では、周波数追従を行う前に受信していた番組のＰＩコードや放送周波数等の情報が最も新しい実績ＡＦ局データとして内蔵ＲＡＭに記憶され、本フローチャートの処理は終了する。
【００３６】
図３は、別の形態の処理のフローチャートを示す。選択局の受信状態が悪化した場合、内蔵ＲＡＭ内の実績ＡＦ局データを参照して実績ＡＦ局の追従が行われる。図３に示されるように、実績ＡＦ局の受信状態が悪く実績ＡＦ局への追従が失敗すると（Ｓ１１）、追従失敗の原因がＰＩコードエラーか否かが判定される（Ｓ１２）。具体的には、追従を試みた内蔵ＲＡＭ内の実績ＡＦ局（以下、「追従失敗実績ＡＦ局」と記す。）データのＰＩコードと追従対象ＰＩコードが全桁一致するか否かが判定される。両ＰＩコードが全桁一致する場合（Ｓ１２：ＮＯ）、本フローチャートの処理は終了する。両ＰＩコードが不一致の場合（Ｓ１２：ＹＥＳ）、処理はＳ１３に進む。
【００３７】
Ｓ１３の処理では、追従失敗実績ＡＦ局データのＰＩコードと追従対象ＰＩコードの不一致の内容が検出される。両ＰＩコードがＡｒｅａコードのみ相違する場合（Ｓ１３：ＹＥＳ）、追従失敗実績ＡＦ局データの反転フラグがオンになる（Ｓ１４）。Ｓ１５の処理では、反転フラグがオンされた追従失敗実績ＡＦ局データが受信ＡＦ記憶領域に移動する。説明の便宜上、受信ＡＦ記憶領域に移動した追従失敗実績ＡＦ局データを「追従失敗受信ＡＦ局データ」と記す。追従失敗受信ＡＦ局データの移動後、本フローチャートの処理は終了する。
【００３８】
追従失敗実績ＡＦ局データのＰＩコードと追従対象ＰＩコードがＡｒｅａコードのみ相違する場合以外は（Ｓ１３：ＮＯ）、追従を試みたＡＦのＰＩコードが妨害波等の影響で正常に復号できていない可能性が高い。そのため、追従失敗実績ＡＦ局データのＰＩエラーフラグがオンになる（Ｓ１６）。Ｓ１５の処理では、ＰＩエラーフラグがオンされた追従失敗実績ＡＦ局データが受信ＡＦ記憶領域に移動する。追従失敗受信ＡＦ局データの移動後、本フローチャートの処理は終了する。
【００３９】
図４は、選択局の受信状態が悪化した場合に周波数追従を行ってＡＦ局の受信切替を所定の優先順位に従って試行する処理のフローチャートを示す。図４のフローチャートの処理は、放送受信機１の動作中、繰り返し実行される。
【００４０】
図４に示されるように、Ｓ３１の処理では、所定のＡＦ局切替開始条件が満たされるか否かが監視される。例えば選択局の受信強度が所定の閾値を下回るとき、受信状態の悪化に伴うＡＦ局の受信切替が必要であり、所定のＡＦ局切替開始条件が満たされる。所定のＡＦ局切替開始条件が満たされない場合（Ｓ３１：ＮＯ）、本フローチャートの処理は終了する。所定のＡＦ局切替開始条件が満たされる場合（Ｓ３１：ＹＥＳ）、処理はＳ３２に進む。
【００４１】
Ｓ３２の処理では、マイクロコンピュータ１０９の内蔵タイマＡのカウントが開始される。Ｓ３３の処理では、内蔵ＲＡＭ内の実績ＡＦ局データを参照して実績ＡＦ局に対する追従が行われる。追従は、内蔵ＲＡＭ内の新しい実績ＡＦ局から順に試行される。追従可能な実績ＡＦ局が検出された場合（Ｓ３４：ＹＥＳ）、受信周波数が当該実績ＡＦ局に切り替えられる。次いで、内蔵タイマＡがクリアされ（Ｓ４５）、本フローチャートの処理は終了する。
【００４２】
追従可能な実績ＡＦ局が検出されない場合（Ｓ３４：ＮＯ）、内蔵タイマＡのカウント値がカウント値Ｂを超えているか否かが判定される（Ｓ３５）。カウント値Ｂを超えていない場合（Ｓ３５：ＮＯ）、受信ＡＦ記憶領域内の確定フラグがオンされた受信ＡＦ局データを参照して受信ＡＦ局に対する追従が行われる（Ｓ３６、Ｓ４２）。追従では、確定フラグがオンされた受信ＡＦ局データの中から受信最良局を探す。受信最良局が検出された場合（Ｓ４３：ＹＥＳ）、受信周波数が当該受信ＡＦ局に切り替えられる。次いで、内蔵タイマＡがクリアされ（Ｓ４５）、本フローチャートの処理は終了する。
【００４３】
確定フラグがオンされた受信ＡＦ局の中から追従可能な受信ＡＦ局が検出されない場合（Ｓ４３：ＮＯ）、所定のＡＦ局切替開始条件が満たされるか否かが改めてチェックされる（Ｓ４４）。所定のＡＦ局切替開始条件が満たされない場合（Ｓ４４：ＮＯ）、内蔵タイマＡがクリアされ（Ｓ４５）、本フローチャートの処理は終了する。所定のＡＦ局切替開始条件が満たされる場合（Ｓ４４：ＹＥＳ）、処理はＳ３３に戻り、本フローチャートの処理は継続する。
【００４４】
カウント値Ｃは、カウント値Ｂよりも大きい値として定義される。内蔵タイマＡのカウント値がカウント値Ｂを超えるがカウント値Ｃに満たない場合（Ｓ３５：ＹＥＳ、Ｓ３７：ＮＯ）、受信ＡＦ記憶領域内のフラグ無しの受信ＡＦ局データを参照して受信ＡＦ局に対する追従が行われる（Ｓ３８、Ｓ４２）。追従では、フラグ無しの受信ＡＦ局データの中から受信最良局を探す。受信最良局が検出された場合（Ｓ４３：ＹＥＳ）、受信周波数が当該受信ＡＦ局に切り替えられる。次いで、内蔵タイマＡがクリアされ（Ｓ４５）、本フローチャートの処理は終了する。なお、確定フラグは、一定条件下でオフされる。一例として、マニュアルチューニングやシーク等により受信周波数を変更した場合に、新たに受信した局のＲＤＳデータのＡＦが実績ＡＦ局データとして内蔵ＲＡＭに記憶されていれば、当該実績ＡＦ局データは確定フラグがオフされた（フラグ無しの）状態で受信ＡＦ記憶領域に移動する。
【００４５】
フラグ無しの受信ＡＦ局の中から追従可能な受信ＡＦ局が検出されない場合（Ｓ４３：ＮＯ）、所定のＡＦ局切替開始条件が満たされるか否かが改めてチェックされる（Ｓ４４）。所定のＡＦ局切替開始条件が満たされない場合（Ｓ４４：ＮＯ）、内蔵タイマＡがクリアされ（Ｓ４５）、本フローチャートの処理は終了する。所定のＡＦ局切替開始条件が満たされる場合（Ｓ４４：ＹＥＳ）、処理はＳ３３に戻り、本フローチャートの処理は継続する。
【００４６】
カウント値Ｄは、カウント値Ｃよりも大きい値として定義される。内蔵タイマＡのカウント値がカウント値Ｃを超えるがカウント値Ｄに満たない場合（Ｓ３５：ＹＥＳ、Ｓ３７：ＹＥＳ、Ｓ３９：ＮＯ）、受信ＡＦ記憶領域内の反転フラグがオンされた受信ＡＦ局データを参照して受信ＡＦ局に対する追従が行われる（Ｓ４０、Ｓ４２）。追従では、反転フラグがオンされた受信ＡＦ局データの中から受信最良局を探す。受信最良局が検出された場合（Ｓ４３：ＹＥＳ）、受信周波数が当該受信ＡＦ局に切り替えられる。次いで、内蔵タイマＡがクリアされ（Ｓ４５）、本フローチャートの処理は終了する。
【００４７】
反転フラグがオンされた受信ＡＦ局の中から追従可能な受信ＡＦ局が検出されない場合（Ｓ４３：ＮＯ）、所定のＡＦ局切替開始条件が満たされるか否かが改めてチェックされる（Ｓ４４）。所定のＡＦ局切替開始条件が満たされない場合（Ｓ４４：ＮＯ）、内蔵タイマＡがクリアされ（Ｓ４５）、本フローチャートの処理は終了する。所定のＡＦ局切替開始条件が満たされる場合（Ｓ４４：ＹＥＳ）、処理はＳ３３に戻り、本フローチャートの処理は継続する。
【００４８】
内蔵タイマＡのカウント値がカウント値Ｄを超える場合（Ｓ３５：ＹＥＳ、Ｓ３７：ＹＥＳ、Ｓ３９：ＹＥＳ）、受信ＡＦ記憶領域内のＰＩエラーフラグがオンされた受信ＡＦ局データを参照して受信ＡＦ局に対する追従が行われる（Ｓ４１、Ｓ４２）。追従では、ＰＩエラーフラグがオンされた受信ＡＦ局データの中から受信最良局を探す。受信最良局が検出された場合（Ｓ４３：ＹＥＳ）、受信周波数が当該受信ＡＦ局に切り替えられる。次いで、内蔵タイマＡがクリアされ（Ｓ４５）、本フローチャートの処理は終了する。
【００４９】
ＰＩエラーフラグがオンされた受信ＡＦ局の中から追従可能な受信ＡＦ局が検出されない場合（Ｓ４３：ＮＯ）、所定のＡＦ局切替開始条件が満たされるか否かが改めてチェックされる（Ｓ４４）。所定のＡＦ局切替開始条件が満たされない場合（Ｓ４４：ＮＯ）、内蔵タイマＡがクリアされ（Ｓ４５）、本フローチャートの処理は終了する。所定のＡＦ局切替開始条件が満たされる場合（Ｓ４４：ＹＥＳ）、処理はＳ３３に戻り、本フローチャートの処理は継続する。
【００５０】
このように、従来破棄されていた実績ＡＦ局データを条件付きで保持すると共に所定の優先順位付けを行うと、周波数追従の時間を効率良く抑えつつ、破棄対象であった実績ＡＦ局データを利用した受信切替が好適に達成される。受信可能なＡＦ局の追従漏れが軽減されるため、ユーザは高品位な放送サービスをより一層持続的に聴取できるようになる。なお、確定フラグ付きのＡＦは、正常な復号結果より得られたデータに含まれるＡＦであり信頼性が高いため、追従試行の優先順位が高い。ＰＩエラーフラグ付きのＡＦは、過去に異なる局と判断されたものである。しかし、ＰＩエラーフラグ付きのＡＦは、エリアを移動して受信環境が改善した結果、同一局と判断される可能性もある。但し、同一局と判断される可能性は低いため、追従試行の優先順位が低い。反転フラグ付きのＡＦは、放送エリアが異なるだけで同じ内容を放送している可能性がある。そのため、ＰＩエラーフラグ付きのＡＦよりも追従試行の優先順位が高い。
【００５１】
以上が本発明の実施形態の説明である。本発明は、上記の構成に限定されるものではなく、本発明の技術的思想の範囲において様々な変形が可能である。
【符号の説明】
【００５２】
１０１  アンテナ
１０２  チューナ
１０３  アナログ信号処理回路
１０４  オーディオ信号処理回路
１０５  パワーアンプ
１０６  スピーカ
１０７  ＲＤＳ復調器
１０８  ＰＬＬ回路
１０９  マイクロコンピュータ
１１０  入力インタフェース
１１１  ディスプレイ
【図１】
0005669570.tif 000002
【図２】
0005669570.tif 000003
【図３】
0005669570.tif 000004
【図４】
0005669570.tif 000005